(57)【特許請求の範囲】
【請求項１】
被写体を連続撮影する撮像素子と、
前記連続撮影の撮影ごとの露光中に当該撮像装置の動きを検出する動き検出部と、
前記撮像素子から取り込んだ前記連続撮影の画像データが保存される画像メモリ部と、
前記動き検出部で検出された当該撮像装置の動きのデータに基づいて撮像装置移動量を算出する移動量演算手段と、
前記連続撮影された複数の画像データについて前記撮像装置移動量の小さい順に序列をつける画像序列手段と、
前記序列がつけられた複数の画像データの一部または全部をそれぞれの前記序列とともに表示し、かつその中から任意の画像データをユーザ操作により選択を可能にする補助表示を表示する画像表示部と、
前記画像表示部で選択された画像データを前記撮像装置移動量とともに記憶する記憶部と、
を備えることを特徴とする撮像装置。
【請求項２】
前記動き検出部は、当該撮像装置における３軸方向のうち少なくとも２軸それぞれを中心軸として回転する角速度を検出するジャイロセンサ及び／又は当該撮像装置の３軸方向の加速度を検出する加速度センサであることを特徴とする請求項１に記載の撮像装置。
【請求項３】
前記画像表示部は、ユーザ操作により前記序列の順に画像データを１つずつ切替えて表示する画像切替手段を有することを特徴とする請求項１に記載の撮像装置。
【請求項４】
前記画像表示部は、前記撮像装置移動量の所定の範囲内の画像データを一覧として表示することを特徴とする請求項１に記載の撮像装置。
【請求項５】
前記画像表示部は、前記連続撮影における経過時間と該連続撮影の撮影ごとの前記撮像装置移動量との関係をグラフとして表示し、該グラフに対応して前記画像データを表示することを特徴とする請求項１に記載の撮像装置。
【請求項６】
前記画像表示部は、ユーザ操作により選択した前記画像データを拡大表示する画像拡大手段を有することを特徴とする請求項３〜５のいずれかに記載の撮像装置。
【請求項７】
前記画像表示部は、ユーザ操作により前記画像メモリ部及び／又は前記記憶部に記憶されている画像データ群の中から複数の画像データを選択する画像選択手段を有し、
前記画像選択手段が複数の画像データを選択すると、
前記画像序列手段が、前記画像選択手段により選択された複数の画像データについて前記撮像装置移動量の小さい順に前記序列をつけ、
前記画像表示部が、前記序列がつけられた複数の画像データの一部または全部をそれぞれの前記序列及び／又は前記撮像装置移動量とともに表示し、かつその中から任意の画像データを選択可能に表示し、
前記記憶部が前記画像表示部で選択された画像データを前記撮像装置移動量とともに記憶することを特徴とする請求項１に記載の撮像装置。
【発明の詳細な説明】
【技術分野】
【０００１】
本発明は、被写体を連続撮像してその中から撮影状態のよい画像データを記録する撮像装置に関するものである。
【背景技術】
【０００２】
デジタルカメラで撮影した写真は、画像ブレが少ない綺麗な写真であることが求められる。主に画像ブレは、カメラシャッターが開いている間にカメラ自体が動き、撮像する対象全体が流れてしまうことで発生する。特に、撮影環境が暗い場面では、シャッター開状態が長くなり（シャッタースピードが遅くなり）、大きな画像ブレを起こした写真が撮像される可能性が一段と高い。そこで、被写体を複数回撮影し、撮影時のカメラ状態を自動的に評価して保存する方法を用いることで、画像ブレの少ない写真を簡単に得る技術が既に知られている。
【０００３】
例えば、特許文献１では、被写体を連続的に撮像し、撮影状態の良否を評価することで、撮影評価の一番高い画像データを選択、保存する電子カメラの構成が開示されている。
【０００４】
また、特許文献２では、画像ブレが少ない良好な画像データを確実に得ることが目的で、被写体を連続的に撮像し、画像記録時に使用する圧縮手段を介して良否評価用の圧縮パラメータで画像データを圧縮し、その圧縮符号量に基づいて画像データの良否評価を行い、評価の高かった画像を画像記録用の目標圧縮符号量に圧縮した状態で記録することで、画像ブレが少ない良好な画像データを得る構成が開示されている。
【０００５】
また、特許文献３では、カメラブレと被写体ブレを判断し、適切な露光条件で撮影することが目的で、カメラブレと被写体ブレのそれぞれの原因に対応して露光条件を決定可能にしたブレ対応カメラについて開示されている。このブレ対応カメラは、複数の露光条件で連続撮影を行い、複数の画像データから先鋭度を比較し、カメラブレであるか被写体ブレであるかを判断することで適切な露光条件を決定して、良好な画像データを得られる構成が開示されている。
【発明の概要】
【発明が解決しようとする課題】
【０００６】
しかしながら、従来の「被写体を複数回撮影し、撮影時のカメラ状態を自動的に評価して保存する方法」では、ユーザが満足する画像を得ることが困難であった。具体的には、動く被写体を連続撮影する場合、連続撮影中に被写体はあらゆる位置へ移動することやあらゆる形態に変化することが考えられるため、得られた画像の中でカメラ状態が最も良い時（最もカメラが動かなかった時）の画像を自動的に選択しても、保存された画像が必ずしもユーザの望む被写体位置・形態でないことがあった。一方で、連続撮影された画像群からユーザが所望の被写体位置・形態の画像を選択した場合、その撮影状態が良好なものであるか否かの判断は困難であった。
【０００７】
本発明は、以上の従来技術における課題に鑑みてなされたものであり、撮影時の撮像装置移動量が少なくかつユーザが満足する画像データを取得できる撮像装置を提供することを目的とする。
【課題を解決するための手段】
【０００８】
前記課題を解決するために提供する本発明は、以下の通りである。なお、カッコ内に本発明を実施するための形態において対応する部位及び符号等を示す。
〔１〕被写体を連続撮影する撮像素子（撮像素子１０２）と、前記連続撮影の撮影ごとの露光中に当該撮像装置の動きを検出する動き検出部（加速度センサ１１２，ジャイロセンサ１１３）と、前記撮像素子から取り込んだ前記連続撮影の画像データが保存される画像メモリ部（画像メモリ１０８）と、前記動き検出部で検出された当該撮像装置の動きのデータに基づいて撮像装置移動量（カメラ移動量）を算出する移動量演算手段（画像評価部１０６）と、前記連続撮影された複数の画像データについて前記撮像装置移動量の小さい順に序列をつける画像序列手段（画像評価部１０６）と、前記序列がつけられた複数の画像データの一部または全部をそれぞれの前記序列とともに表示し、かつその中から任意の画像データをユーザ操作により選択を可能にする補助表示を表示する画像表示部（画像表示部１１４）と、前記画像表示部で選択された画像データを前記撮像装置移動量とともに記憶する記憶部（メモリーカード１１８）と、を備えることを特徴とする撮像装置（デジタルカメラ１、図１〜図６）。
〔２〕前記動き検出部は、当該撮像装置における３軸方向のうち少なくとも２軸それぞれを中心軸として回転する角速度を検出するジャイロセンサ（ジャイロセンサ１１３）及び／又は当該撮像装置の３軸方向の加速度を検出する加速度センサ（加速度センサ１１２９であることを特徴とする前記〔１〕に記載の撮像装置（図２）。
〔３〕前記画像表示部は、ユーザ操作により前記序列の順に画像データを１つずつ切替えて表示する画像切替手段を有することを特徴とする前記〔１〕に記載の撮像装置（図７）。
〔４〕前記画像表示部は、前記撮像装置移動量の所定の範囲内の画像データを一覧として表示することを特徴とする前記〔１〕に記載の撮像装置（図８）。
〔５〕前記画像表示部は、前記連続撮影における経過時間と該連続撮影の撮影ごとの前記撮像装置移動量との関係をグラフとして表示し、該グラフに対応して前記画像データを表示することを特徴とする前記〔１〕に記載の撮像装置（図９）。
〔６〕前記画像表示部は、ユーザ操作により選択した前記画像データを拡大表示する画像拡大手段（ズームレバー）を有することを特徴とする前記〔３〕〜〔５〕のいずれかに記載の撮像装置（図７〜図９）。
〔７〕前記画像表示部（画像表示部１１４）は、ユーザ操作により前記画像メモリ部及び／又は前記記憶部に記憶されている画像データ群の中から複数の画像データを選択する画像選択手段を有し、前記画像選択手段が複数の画像データを選択すると（ステップＳ５００）、前記画像序列手段が、前記画像選択手段により選択された複数の画像データについて前記撮像装置移動量の小さい順に序列をつけ（ステップＳ５０１〜Ｓ５０６）、前記画像表示部が、前記序列がつけられた複数の画像データの一部または全部をそれぞれの序列及び／又は撮像装置移動量とともに表示し、かつその中から任意の画像データを選択可能に表示し、前記記憶部が前記画像表示部で選択された画像データを前記撮像装置移動量とともに記憶する（ステップＳ５０７）ことを特徴とする前記〔１〕に記載の撮像装置（図１０）。
【発明の効果】
【０００９】
本発明の撮像装置によれば、連続撮影を行い、例えば各撮影における露光中の撮像装置のピッチング・ヨーイング・ローリングの角速度と３軸（ｘｙｚ）方向の加速度を獲得し、得られた角速度と加速度を用いて計算することで各画像データの撮影時の撮像装置移動量を特定することができ、各画像データを撮像装置移動量に応じて並べて表示することで、ユーザが簡単に撮像装置移動量と画像データにおける被写体の位置・形態を比較しながら、任意の画像データを選択できるので、撮像装置移動量の少ない、ユーザ所望の画像データを簡単、確実に得ることができる。
【図面の簡単な説明】
【００１０】
【図１】本発明に係る撮像装置の一態様であるデジタルカメラの構成を示す外観図である。
【図２】図１のデジタルカメラの機能ブロック図である。
【図３】図２のデジタルカメラの所定の撮影モードにおける撮影処理全体のフローチャートである。
【図４】図３の全体フローチャートのうち、１写真分の撮影シーケンスの処理例を示すフローチャートである。
【図５】図３の全体フローチャートのうち、撮影画像の評価シーケンスの処理例を示すフローチャートである。
【図６】図３の全体フローチャートのうち、画像表示から画像保存までのシーケンスの処理例を示すフローチャートである。
【図７】図６の画像表示、保存シーケンスにおいて表示される画像例（１）を示す図である。
【図８】図６の画像表示、保存シーケンスにおいて表示される画像例（２）を示す図である。
【図９】図６の画像表示、保存シーケンスにおいて表示される画像例（３）を示す図である。
【図１０】図２のデジタルカメラにおいて行われる、撮り貯めた画像データのカメラ移動量比較に関するフローチャートである。
【発明を実施するための形態】
【００１１】
以下に、本発明に係る撮像装置の構成について説明する。
図１は、本発明に係る撮像装置の一態様であるデジタルカメラの構成を示す外観図である。
図１に示すように、デジタルカメラ（以下、単にカメラともいう）１の前面部分（図中手前側の面）には、撮影レンズ群２と閃光部４が取り付けられており、このうち撮影レンズ群２の奥側の本体内部に不図示のシャッターと撮像素子が配置されている。また、デジタルカメラ１の上面には撮影のトリガーとなるレリーズボタン３が備え付けられており、さらにデジタルカメラ１の裏面には操作ボタン群や画像表示部等が配置されている。
【００１２】
ここで、図１において、紙面手前側からデジタルカメラ１前面を見て左右方向をＸ軸、上下方向をＹ軸、紙面奥から手前方向（撮影レンズ群２が突き出している方向）をＺ軸とする。また、Ｘ軸を軸にする回転をピッチング、Ｙ軸を軸にする回転をヨーイング、Ｚ軸を軸にする回転をローリングとする。
【００１３】
図２に、デジタルカメラ１の機能ブロックの構成例を示す。
デジタルカメラ１は、その前面（図中左側）に取り付けられる撮影レンズ群２と、撮影レンズ群２の内部に配置されるシャッター１０３と、撮像素子１０２とを、撮影レンズ群２、シャッター１０３、撮像素子１０２の受光面が同一光軸上に配置されるように有する。連続撮影のときには、撮影ごとにシャッター１０３が所定時間だけ開状態となり、その際撮像素子１０２の受光面に入射した被写体像が撮像素子１０２からデータ（raw）として出力される。
【００１４】
撮像素子１０２から出力されたデータは、画像処理部１０７において画像処理が行われ、画像データとして画像メモリ１０８に格納される。この画像メモリ１０８のデータパスには、画像評価部１０６と画像表示回路１０９がそれぞれ接続されている。
【００１５】
また、デジタルカメラ１は、連続撮影の撮影ごとの露光中に当該カメラの動きを検出する動き検出部として、当該カメラにおける３軸方向（Ｘ軸、Ｙ軸、Ｚ軸）のうち少なくとも２軸それぞれを中心軸として回転するデジタルカメラ１の角速度を検出するジャイロセンサ１１３と、当該カメラの３軸方向の加速度を検出する加速度センサ１１２と、を有する。
【００１６】
このとき、ジャイロセンサ１１３、加速度センサ１１２のいずれかのみを備えるようにしてもよいし、両方を備えるようにしてもよい。すなわちこれにより、
１）ピッチング・ヨーイング・ローリングの角速度とＸ軸・Ｙ軸・Ｚ軸方向の加速度を共に検出する手段、
２）ピッチング・ヨーイングの角速度とＸ軸・Ｙ軸・Ｚ軸方向の加速度を共に検出する手段、
３）Ｘ軸・Ｙ軸・Ｚ軸方向の加速度のみを検出する検出手段、
４）ピッチング・ヨーイング・ローリングの角速度のみを検出する検出手段、
５）ピッチング・ヨーイングの角速度のみを検出する検出手段、
のいずれかを備える。なお、前記１）〜５）の手段のうち、１）に向かうほど多くの動作を検出できるため評価精度があがり、５）に向かうほど検出器を減らせるためコストが削減できる。
【００１７】
マイクロプロセッサ１１０は、加速度センサ１１２及びジャイロセンサ１１３と繋がっている。
【００１８】
画像評価部１０６は、マイクロプロセッサ１１０と通信を行い、デジタルカメラ１が最も動かなかったときの画像（写真）の評価量を計算する。すなわち、画像評価部１０６は、加速度センサ１１２及びジャイロセンサ１１３で検出された当該カメラ１の動きのデータ（デジタルカメラ１の加速度及び角速度）に基づいてカメラ移動量を算出する移動量演算手段と、前記連続撮影された複数の画像データについて前記カメラ移動量の小さい順に序列をつける画像序列手段と、を有している（詳細は後述）。
【００１９】
また、マイクロプロセッサ１１０は、画像表示回路１０９を通して、画像表示部１１４に所定の画像を表示させ、カードインターフェース１１７を通して記憶部であるメモリーカード１１８への画像書き込みや画像読み出しを行う。すなわち、画像表示部１１４は、前記序列がつけられた複数の画像データの一部または全部を、それぞれの序列及び／又はカメラ移動量とともに表示し、かつ任意の画像データを選択可能に表示する。また、メモリーカード１１８は、画像表示部１１４で選択された画像データを前記カメラ移動量とともに記憶する。
【００２０】
また、マイクロプロセッサ１１０は、撮像素子１０２を制御するために撮像素子制御回路１１１に接続しており、撮影レンズ群２の駆動を制御するためにレンズ駆動機構１０４とエンコーダ１０５に接続しており、露光時間を制御するためにシャッター１０３と接続しており、フラッシュを制御するために閃光部４と接続している。また、デジタルカメラ１の筐体に配置されるレリーズボタン３や操作ボタン群１１６もマイクロプロセッサ１１０に接続されており、ユーザのボタン操作の情報を取得することができる。
【００２１】
（撮影処理制御フロー）
図３は、デジタルカメラ１の所定の撮影モードにおける撮影処理全体のフローチャートである。ここでは、撮影開始からデジタルカメラ１が最も動かなかった写真（画像）を判別して表示し、ユーザが保存するまでの全体の流れの一例を示している。
【００２２】
まず、マイクロプロセッサ１１０は、ユーザによる操作ボタン群１１６の操作に従って、「カメラが最も動かなかった写真を取得できるモード」の処理受付開始を行う（ステップＳ１００）。マイクロプロセッサ１１０は、ユーザがレリーズボタン３を押すまで待機する（ステップＳ１０１）。
【００２３】
レリーズボタン３がユーザによって押されると（ステップＳ１０１のＹＥＳ）、連続撮影枚数の初期化（ｒ＝０）が行われ、「１枚目の撮影」という情報（ｒ＝１）に設定される（ステップＳ１０２，Ｓ１０３）。そして、１写真分の撮影シーケンス（後述）が実行される（ステップＳ１０４）。この撮影シーケンスにおいて、連続撮影枚数の情報を利用する。
【００２４】
１写真分の撮影シーケンスの終了後、「カメラが最も動かなかった写真を取得できるモード」の連続撮影の設定枚数と撮影済みの枚数を確認する（ステップＳ１０５）。その時点までに撮影した枚数がその設定枚数に達していない場合（ステップＳ１０５のＮＯ）、ステップＳ１０３に戻り、連続撮影枚数を更新して１写真分の撮影シーケンス（ステップＳ１０４）を再度実行する。
【００２５】
撮影枚数が設定枚数に達していたら（ステップＳ１０５のＹＥＳ）、評価シーケンス（後述）に移る。つまり、「カメラが最も動かなかった写真を取得できるモード」の連続撮影の設定枚数が６枚としたら、６回撮影シーケンスを行い、その後に評価シーケンスへ移ることになる。
【００２６】
画像評価部１０６による評価シーケンスでは、前記連続撮影における各撮影中のデジタルカメラ１の移動量を計算する（ステップＳ１０６）。そして、画像表示・保存シーケンス（後述）を実行し、デジタルカメラ１が最も動かなかった順に写真を表示し、ユーザによる操作ボタン群１１６の操作によって、その中から所定の写真（画像データ）を選択し、保存する（ステップＳ１０７）。
以上の一連の動作により、「カメラが最も動かなかった写真を取得できるモード」の撮影・評価及び写真（画像データ）の保存が終了する。
【００２７】
（撮影シーケンス）
図４は、図３の全体フローチャートのうち、１写真分の撮影シーケンス（ステップＳ１０４）の処理例を示すフローチャートである。
まず、マイクロプロセッサ１１０は、撮像素子制御回路１１１へ露光を開始する制御命令を行い、シャッター１０３を開いて露光を開始する（ステップＳ２００）。
次に、マイクロプロセッサ１１０は、評価シーケンス（ステップＳ１０６）での計算に必要となる、露光開始からの時間を取得し、保存する（ステップＳ２０１）。続けて、ジャイロセンサ１１３から露光中のデジタルカメラ１のピッチング角・ヨーイング角・ローリング角それぞれの角速度を取得し、ステップＳ２０１で取得した時間と撮影枚数と関連付けて保存する（ステップＳ２０２）。また、加速度センサ１１２からも同じようにデジタルカメラ１のＸ方向、Ｙ方向、Ｚ方向それぞれの加速度を取得し、時間と撮影枚数と関連付けて保存する（ステップＳ２０３）。
そして、マイクロプロセッサ１１０は、露光終了であるか確認する（ステップＳ２０４）。露光終了でない場合（ステップＳ２０４のＮＯ）、ステップＳ２０１へ戻り、時間（Ｓ２０１）、角速度（Ｓ２０２）、加速度（Ｓ２０３）を取得し続ける。
露光終了の場合（ステップＳ２０４のＹＥＳ）、マイクロプロセッサ１１０は、撮像素子制御回路１１１へ露光を終了する制御命令を行い、シャッター１０３を閉じて露光を終了させる（ステップＳ２０５）。つまり、マイクロプロセッサ１１０は、露光中のデジタルカメラ１の角速度と加速度を時系列で取得し保存する。
露光終了後は、撮像素子１０２から画像処理部１０７へ画像データを送る（ステップＳ２０６）。そして、画像処理部１０７は、撮影条件等の情報を付加している画像データ内のＥｘｉｆに、「連続撮影モード」という情報と「連続撮影枚数r」を書き込む（ステップＳ２０７）。「連続撮影枚数r」は図３のステップＳ１０３で更新された値である。
最後に、Ｅｘｉｆが更新された画像データを画像メモリ１０８に保存する（ステップＳ２０８）。
【００２８】
（評価シーケンス）
図５は、図３の全体フローチャートのうち、撮影画像の評価シーケンス（ステップＳ１０６）の処理例を示すフローチャートである。
画像評価部１０６は、連続撮影の１枚目の撮影から順に評価計算をするため、まず１枚目の撮影（ｎ＝１）を指定する（ステップＳ３００，Ｓ３０１）。次に、露光中に時系列でまとめられた１枚目の撮影の角速度・加速度データを読み出す（ステップＳ３０２）。そして、時系列でまとめられた角速度・加速度データからデジタルカメラ１の移動量を算出する（ステップＳ３０３）。
【００２９】
次式（１）に、動き検出部として「１）ピッチング・ヨーイング・ローリングの角速度とＸ軸・Ｙ軸・Ｚ軸方向の加速度を共に検出する手段」を用いたときのカメラ移動量Ｍの算出式の一例を示す。なお、式中、Ｎはサンプリング回数、ωp,i，ωy,i，ωr,iは各サンプリング時のピッチング・ヨーイング・ローリング角の角速度、△ｔはサンプリング間隔、αx,i，αy,i，αz,iはサンプリング時のＸ軸・Ｙ軸・Ｚ軸方向の加速度、ｇは重力加速度である。
【００３０】
【数１】
0005773130.tif 000002
【００３１】
この式（１）により、デジタルカメラ１のピッチング・ヨーイング・ローリングの回転移動量を時間積分した値と、重力加速度以外の加速度を時間積分した値が分かるため、露光時にデジタルカメラ１がどの程度動いたかの相対比較が可能となる。
【００３２】
また、次式（２）に、「５）ピッチング・ヨーイングの角速度のみを検出する検出手段」を用いたときのカメラ移動量Ｍの算出式の一例を示す。
【００３３】
【数２】
0005773130.tif 000003
【００３４】
この式（２）により、デジタルカメラ１のピッチング・ヨーイングの回転移動量の時間積分を模した値が分かるため、露光時にデジタルカメラ１がどの程度動いたかの相対比較が可能となる。
【００３５】
なお、「２）ピッチング・ヨーイングの角速度とＸ軸・Ｙ軸・Ｚ軸方向の加速度を共に検出する手段」、「３）Ｘ軸・Ｙ軸・Ｚ軸方向の加速度のみを検出する検出手段」、「４）ピッチング・ヨーイング・ローリングの角速度のみを検出する検出手段」に関しても同様の方法でカメラ移動量Ｍの算出が可能である。
【００３６】
つぎに、画像評価部１０６は、連続撮影モードで１枚目に撮影された最新の画像データを画像のＥｘｉｆを参照して抽出する（ステップＳ３０４）。ついで、計算で求めたカメラ移動量を抽出した画像のＥｘｉｆデータに保存する（ステップＳ３０５）。最後に、全撮影の評価が終了したか否かを確認する（ステップＳ３０６）。終了していない場合（ステップＳ３０６のＮＯ）、ステップＳ３０１へ戻り、２枚目以降の画像を同じように評価して、カメラ移動量をその画像データのＥｘｉｆに保存する。終了している場合（ステップＳ３０６のＹＥＳ）は、評価シーケンスを抜ける（終了）。
【００３７】
（画像表示・保存シーケンス）
図６は、図３の全体フローチャートのうち、画像表示から画像保存までのシーケンス（ステップＳ１０７）の処理例を示すフローチャートである。
まず、マイクロプロセッサ１１０は、画像メモリ１０８内の画像データのＥｘｉｆ等を参照し、カメラ移動量を比較する画像データ群をピックアップする（ステップＳ４００）。次に、カメラ移動量を比較して、ピックアップした画像データ群に序列を付けて、カメラ移動量が小さい順に通し番号を画像データに付ける（ステップＳ４０１）。そして、カメラ移動量の序列に応じて、画像表示回路１０９を通して画像表示部１１４に画像データを表示させる（ステップＳ４０２）。例えば、最初にカメラ移動量の通し番号が１の画像データを表示する。
【００３８】
次に、画像データの表示と同時に「１番目にカメラ移動量が小さい画像」等のコメントを画像表示部１１４に表示する（ステップＳ４０３）。そして、その画像データを保存するか否かをユーザに確認する（ステップＳ４０４）。保存しない場合（ステップＳ４０４のＮＯ）、表示する画像データを変更し（ステップＳ４０５）、ステップＳ４０３に戻り、コメント表示も更新して（「ｐ番目にカメラ移動量が小さい画像」等）再度ユーザに保存するかを確認する（ステップＳ４０４）。保存を選んだ場合（ステップＳ４０４のＹＥＳ）、マイクロプロセッサ１１０は、画像表示部１１４に表示されている画像データを、カードインターフェース１１７を通してメモリーカード１１８へ保存して画像表示・保存シーケンスを終了する（ステップＳ４０６）。
【００３９】
（画像表示例１）
図７は、図６の画像表示、保存シーケンスのステップＳ４０３において画像表示部１１４に表示される画像例（１）を示す図である。なお、ここではカメラ移動量を比較する画像データ群には、カメラ移動量が小さい順に１番から通し番号を付けてあるものとする。
図７に示すように、最初に表示する画像は、最もカメラ移動量が小さい画像であり、画像表示部１１４全体に表示する。そして、画面左上にポップアップの様な形で「１番目にカメラ移動量が小さかった画像」というコメント等を表示する。
【００４０】
また、本実施形態では、画像表示部１１４は、ユーザ操作により前記序列の順に画像データを１つずつ切替えて表示する画像切替手段を有する。例えば、画面左下において、ユーザの操作を補助するヘルプ等で表示しているように、ユーザ操作（右ボタン押下）によって「次の画像へ」が選択されると、現在表示されている画像データの通し番号＋１の通し番号が付けられている画像データを表示し、ユーザ操作（左ボタン押下）によって「前の画像へ」が選択されると、現在表示されている画像データの通し番号−１の通し番号が付けられている画像データを表示する。ただし、指定した通し番号が範囲外の場合、表示される画像データは切り替えない。また、画面中のコメントは表示している画像データに対応したコメントとし、画像データの表示が切り替えられることでコメントもその切替後の画像データに対応した内容に切り替わる。
【００４１】
なお、画面右上には「現在表示中の画像の順位／比較する画像の枚数」（図７では、「１／６」）を表示し、ユーザが全ての比較画像の枚数を把握しやすいようになっている。
【００４２】
また、画像表示部１１４では、ユーザ操作（ＯＫボタン押下）により、切替表示されている画像データをメモリーカード１１８に保存する。
【００４３】
また、画像表示部１１４は、ユーザ操作により選択した前記画像データを拡大表示する画像拡大手段（ズームレバー）を有する。すなわち、ユーザ操作によって画像データの表示サイズの拡大縮小が可能となっており、画像データのブレ量をユーザが簡単に目視で確認できるようになっている。
【００４４】
本実施形態によれば、カメラ移動量の小さい順に画像データを並べてあるので、カメラ移動量の小さい、所望の画像データをユーザが見つけやすくなる。
【００４５】
（画像表示例２）
図８は、図６の画像表示、保存シーケンスのステップＳ４０３において画像表示部１１４に表示される画像例（２）を示す図である。なお、ここではカメラ移動量を比較する画像データ群には、カメラ移動量が小さい順に１番から通し番号を付けてあるものとする。
図８に示すように、最初に表示する画像として、画像抽出範囲に対応する全画像データの一覧を表示する。ここでいう画像抽出範囲とは、予め設定しておいたカメラ移動量の値の範囲である。例えば、「カメラ静止状態」という画像抽出範囲であれば、カメラ移動量の範囲は０〜５、「微小動作まで許容」という画像抽出範囲であれば、カメラ移動量の範囲は０〜２０、「全画像」という画像抽出範囲であれば、カメラ移動量の範囲は０以上となる。なお、この値は一例であり、カメラ移動量の計算式が変わればこの範囲も変わる。
【００４６】
画像抽出範囲に対応する画像データ群の一覧は、画面上にカメラ移動量によって付けられた通し番号の順に並べられる。そして、その通し番号は各画像の左上付近に表示される。ユーザ操作によって画像抽出範囲が変更された場合、その範囲に対応する画像群をピックアップし、再度画像一覧を表示させる。
【００４７】
画像表示部１１４の画面左上には、画像抽出範囲（図８では、「カメラ静止状態」と抽出された画像の枚数（図８では、「９／２０」」がコメントとして表示され、ユーザが全ての比較画像の枚数を把握しやすいようになっている。
【００４８】
また、画面右下にはヘルプ等を表示し、ユーザの操作を補助している。例えば、画像表示部１１４では、ユーザ操作（左右キー操作、ＯＫボタン押下）によって、表示されている画像データ群の中から１つの画像データを選択し、選択した画像データをメモリーカード１１８に保存可能となっている。また、画像表示部１１４は、ユーザ操作により選択した前記画像データを拡大表示する画像拡大手段（ズームレバー）を有する。すなわち、ユーザ操作によって画像データの表示サイズの拡大が可能となっており、画像データのブレ量をユーザが簡単に目視で確認できるようになっている。
【００４９】
本実施形態では、所定の画像抽出範囲に画像データを絞り込むことで、デジタルカメラ１が動かなかった（カメラ移動量の小さい）画像データのユーザによる確認作業の負荷を減らすことができる。
【００５０】
（画像表示例３）
図９は、図６の画像表示、保存シーケンスのステップＳ４０３において画像表示部１１４に表示される画像例（３）を示す図である。なお、ここではカメラ移動量を比較する画像データ群には、カメラ移動量が小さい順に１番から通し番号を付けてあるものとする。
図９に示すように、画像表示部１１４は、前記連続撮影における経過時間と該連続撮影の撮影ごとのカメラ移動量との関係をグラフとして表示し、該グラフに対応して前記画像データを表示する。すなわち、まず連続撮影した画像データのＥｘｉｆを参照して撮影時間とカメラ移動量を抽出し、横軸が時間、縦軸がカメラ移動量となるようなグラフを作成し、表示する。またこのグラフの上部には、抽出した時間とカメラ移動量に対応するポイントにその抽出元の画像データを小さく表示する。このとき、カメラ移動量に対応させるように表示する画像データの縦位置を変化させることで、複数の画像データについてそれぞれのカメラ移動量を直感的に比較できる。
【００５１】
また、画面左上には、「現在選択中の画像の順位／比較する画像の枚数」（図９では「１６／２０」）が表示され、ユーザが全ての比較画像の枚数を把握しやすいようになっている。
【００５２】
また、さらに、画面右下にはヘルプ等を表示し、ユーザの操作を補助している。例えば画像表示部１１４では、ユーザ操作（方向キー操作、ＯＫボタン押下）によって、表示されている画像データ群の中から１つの画像データを選択し、選択した画像データをメモリーカード１１８に保存可能となっている。また、画像表示部１１４は、ユーザ操作により選択した前記画像データを拡大表示する画像拡大手段（ズームレバー）を有する。すなわち、ユーザ操作によって画像データの表示サイズの拡大が可能となっており、画像データのブレ量をユーザが簡単に目視で確認できるようになっている。
【００５３】
また、画像選択としてユーザ操作により、画像表示部１１４の外にある画像データを選択した場合、その画像データが表示されるようにグラフと表示画像データが更新される。
【００５４】
本実施形態によれば、画面上で撮影タイミングとカメラ移動量の関係を見ながら画像データを確認できるので、ユーザが希望する撮影タイミングの中で、カメラ移動量の小さい、所望の画像データを簡単に見つけることができる。
【００５５】
図１０は、図２のデジタルカメラにおいて行われる、撮り貯めた画像データのカメラ移動量比較に関するフローチャートである。ここでは、ユーザが画像データ群を選択し、カメラ移動量が小さい順に画像データに通し番号を付加する流れの一例を示す。
【００５６】
本実施形態では、画像表示部１１４は、ユーザ操作により画像メモリ１０８及び／又はメモリーカード１１８に記憶されている画像データ群の中から複数の画像データを選択する画像選択手段を有し、前記画像選択手段が複数の画像データを選択すると、画像評価部１０６の画像序列手段が、前記画像選択手段により選択された複数の画像データについてカメラ移動量の小さい順に序列をつけ、ついで画像表示部１１４が前記序列がつけられた複数の画像データの一部または全部をそれぞれの序列及び／又はカメラ移動量とともに表示し、かつ任意の画像データを選択可能に表示し、さらにメモリーカード１１８がユーザ操作により画像表示部１１４で選択された画像データをカメラ移動量とともに記憶することを特徴とするものである。詳しくは、つぎの手順で動作処理が行われる。
【００５７】
まず画像表示部１１４におけるユーザ操作により、画像選択手段がメモリーカード１１８及び／又は画像メモリ１０８内にある画像データ群の中から複数の画像データを選択する（ステップＳ５００）。この選択はチェックボックスによる複数選択や範囲選択、全選択等がある。ついで、画像評価部１０６は、選択された画像データ（選択画像データ）群のカメラ移動量を順に比較するため、選択画像データに仮の通し番号（探索番号）を付加する（ステップＳ５０１）。
次に、選択画像データ群について順にカメラ移動量を比較するため、まず画像評価部１０６は、探索番号１（ｓ＝１）の選択画像データを指定する（ステップＳ５０２，Ｓ５０３）。そして、指定した画像データにカメラ移動量データが付加されているか確認する（ステップＳ５０４）。カメラ移動量データが付加されていない場合（ステップＳ５０４のＮＯ）、ステップＳ５０３へ戻り、次の探索番号の選択画像データを比較対象とする。なお、カメラ移動量データが付加されていない選択画像データは選択画像データ群から除外してもよい。
カメラ移動量データが付加されている場合は（ステップＳ５０４のＹＥＳ）、カメラ移動量が小さい順に選択画像データの正規の通し番号を付加し（必要に応じて他の選択画像データの通し番号を更新し）、選択画像データ群に戻す（ステップＳ５０５）。
最後に、全選択画像データ群のカメラ移動量比較が終了したか否かを確認する（ステップＳ５０６）。終了していない場合は（ステップＳ５０６のＮＯ）、ステップＳ５０３へ戻り次の探索番号の選択画像を比較対象とする。
全選択画像データ群のカメラ移動量比較が終了した場合は（ステップＳ５０６のＹＥＳ）、序列が付けられた画像データの画像表示とユーザによる画像選択・保存を行う（ステップＳ５０７）。これは、例えば図６の画像表示・保存シーケンスのうち、ステップＳ４０２〜Ｓ４０６の処理動作と同じである。
【００５８】
以上の一連の処理動作により、撮り貯めた画像データのカメラ移動量の比較により、より広い画像候補の中からカメラ移動量の少ない、ユーザ所望の画像データを得ることができる。
【００５９】
なお、これまで本発明を図面に示した実施形態をもって説明してきたが、本発明は図面に示した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【符号の説明】
【００６０】
１    デジタルカメラ
２    撮影レンズ群
３    レリーズボタン
４    閃光部
１０２    撮像素子
１０３    シャッター
１０４    レンズ駆動機構
１０５    エンコーダ
１０６    画像評価部
１０７    画像処理部
１０８    画像メモリ
１０９    画像表示回路
１１０    マイクロプロセッサ
１１１    撮像素子制御回路
１１２    加速度センサ
１１３    ジャイロセンサ
１１４    画像表示部
１１６    操作ボタン群
１１７    カードインターフェース
１１８    メモリーカード
【先行技術文献】
【特許文献】
【００６１】
【特許文献１】特許第４１２３５８６号公報
【特許文献２】特開２０００−２０９４８４号公報
【特許文献３】特許第４０７６１４８号公報
【図２】
0005773130.tif 000004
【図３】
0005773130.tif 000005
【図４】
0005773130.tif 000006
【図５】
0005773130.tif 000007
【図６】
0005773130.tif 000008
【図１０】
0005773130.tif 000009
【図１】
0005773130.tif 000010
【図７】
0005773130.tif 000011
【図８】
0005773130.tif 000012
【図９】
0005773130.tif 000013